(57)【要約】【課題】  上蓋を外したときに記銘紙がベースから落ちるのを防止できると共に、上蓋がベースから簡単に外れないようにする。【解決手段】  垂直面に取り付けられる平板状に形成した矩形のベース２と、ベース２に着脱自在に被せられ、ベース２の前面側を開閉自在に覆う透明材より成る浅い箱状の上蓋３とから成り、ベース２と上蓋３とで記銘紙Ｐを挟み込んで保持するようにしたカードホルダー１に於いて、前記ベース２の前面に記銘紙Ｐの収容空間Ｓを形成する矩形状の枠部５を設けると共に、当該枠部５の対向する上辺部５ａ及び下辺部５ｂの中央部内面に収容空間Ｓに収容した記銘紙Ｐの上縁部及び下縁部を夫々係止する一対の係止爪６を突設形成する。【選択図】      図１
2008131674.tif 000002
【特許請求の範囲】
【請求項１】
垂直面に取り付けられる平板状に形成した矩形のベース（２）と、ベース（２）に着脱自在に被せられ、ベース（２）の前面側を開閉自在に覆う透明材より成る浅い箱状の上蓋（３）とから成り、ベース（２）と上蓋（３）とで記銘紙（Ｐ）を挟み込んで保持するようにしたカードホルダー（１）に於いて、前記ベース（２）の前面に記銘紙（Ｐ）の収容空間（Ｓ）を形成する矩形状の枠部（５）を設けると共に、当該枠部（５）の対向する上辺部（５ａ）及び下辺部（５ｂ）の中央部内面に収容空間（Ｓ）に収容した記銘紙（Ｐ）の上縁部及び下縁部を夫々係止する一対の係止爪（６）を突設したことを特徴とするカードホルダー。
【請求項２】
ベース（２）に形成した収容空間（Ｓ）の底面（４ａ）中央部分と一対の係止爪（６）との間隔を記銘紙（Ｐ）の厚みよりも狭くすると共に、収容空間（Ｓ）の底面（４ａ）の上辺部分及び下辺部分と一対の係止爪（６）との間に記銘紙（Ｐ）の上縁部及び下縁部を夫々挟み込めるように収容空間（Ｓ）の底面（４ａ）の上辺部分及び下辺部分を深さが深くなる傾斜面（４ｂ）に形成し、記銘紙（Ｐ）の上縁部及び下縁部を一対の係止爪（６）と一対の傾斜面（４ｂ）とで彎曲状態で挟み込むようにしたことを特徴とする請求項１に記載のカードホルダー。
【請求項３】
一対の係止爪（６）を広幅に形成したことを特徴とする請求項１又は請求項２に記載のカードホルダー。
【請求項４】
ベース（２）に形成した収容空間（Ｓ）の深さを記銘紙（Ｐ）の厚みと同程度の深さに形成すると共に、ベース（２）に設けた枠部（５）の左辺部（５ｃ）及び右辺部（５ｄ）の内面を夫々外方へ広がる傾斜面（５ｅ）に形成したことを特徴とする請求項１に記載のカードホルダー。
【請求項５】
ベース（２）の左縁部及び右縁部に枠部（５）の左辺部（５ｃ）及び右辺部（５ｄ）に夫々間隔を空けて対峙する左側壁部（７）及び右側壁部（８）を設け、当該左右側壁部（７），（８）と枠部（５）の左右辺部（５ｃ），（５ｄ）との間に上蓋（３）の左右側板部（１２），（１３）を夫々嵌合させると共に、ベース（２）の上下縁部外面に上蓋（３）の上下側板部（１４），（１５）を夫々被せるようにしたことを特徴とする請求項１に記載のカードホルダー。
【発明の詳細な説明】
【技術分野】
【０００１】
本発明は、主に分電盤や配電盤、制御盤等の盤類に組み込んだ分岐用開閉器や分岐用配線遮断器、警報器等の分岐回路名や警報回路名、機器類等の名称を表記した記銘紙（カード）を分電盤や配電盤、制御盤等に取り付けるためのカードホルダーに係り、特に、分電盤等の盤面に垂直に取り付けたベースに透明な上蓋を被せてその間に記銘紙を挟み込んで保持させるようにしたセパレート型のカードホルダーの改良に関するものである。
【背景技術】
【０００２】
従来、セパレート型のカードホルダーとしては、例えば実開平５−７４１０５号公報（参考文献１）に開示された構造のものが知られている。
即ち、前記カードホルダー２０は、図１２に示す如く、裏面に両面テープ２１を貼着した長方形状の本体２２と、本体２２に着脱自在に被せられる透明なカバー２３とから成り、本体２２の表面側に回路名や機器名等を表記したカードＣを載せ、この状態で本体２２にカバー２３を被せて本体２２とカバー２３とでカードＣを挟みこんだ状態で保持するようにしたものである。
このカードホルダー２０は、カードＣを載せた本体２２にカバー２３を被せるようにしているため、内部に塵や埃が侵入すると云うことがなく、カードＣが塵や埃によって汚れたり、或いは、カードＣに表記した文字が塵や埃によって不明瞭になったりするのを防止できる利点がある。
【０００３】
しかし、このセパレート型のカードホルダー２０は、分電盤等の盤面の垂直面に取り付けられているため、カバー２３を外した瞬間にカードＣが本体２２から落ちたり、或いは、カードＣを取り付ける際にカードＣを指で押えて保持しておかなければならないと云う問題があった。
又、このカードホルダー２０は、ただ単に本体２０の外周縁部にカバー２３を被せるようにしているため、振動等によってカバー２３が簡単に外れてしまうと云う問題もあった。
【特許文献１】実開平５−７４１０５号公報
【発明の開示】
【発明が解決しようとする課題】
【０００４】
本発明は、このような問題点に鑑みて為されたものであり、その目的は上蓋を外したときに記銘紙が落ちるのを防止できると共に、上蓋がベースから簡単に外れないようにしたセパレート型のカードホルダーを提供することにある。
【課題を解決するための手段】
【０００５】
上記目的を達成するために、本発明の請求項１の発明は、垂直面に取り付けられる平板状に形成した矩形のベースと、ベースに着脱自在に被せられ、ベースの前面側を開閉自在に覆う透明材より成る浅い箱状の上蓋とから成り、ベースと上蓋とで記銘紙を挟み込んで保持するようにしたカードホルダーに於いて、前記ベースの前面に記銘紙の収容空間を形成する矩形状の枠部を設けると共に、当該枠部の対向する上辺部及び下辺部の中央部内面に収容空間に収容した記銘紙の上縁部及び下縁部を夫々係止する一対の係止爪を突設したことに特徴がある。
【０００６】
本発明の請求項２の発明は、ベースに形成した収容空間の底面中央部分と一対の係止爪との間隔を記銘紙の厚みよりも狭くすると共に、収容空間の底面の上辺部分及び下辺部分と一対の係止爪との間に記銘紙の上縁部及び下縁部を夫々挟み込めるように収容空間の底面の上辺部分及び下辺部分を深さが深くなる傾斜面に形成し、記銘紙の上縁部及び下縁部を一対の係止爪と一対の傾斜面とで彎曲状態で挟み込むようにしたことに特徴がある。
【０００７】
本発明の請求項３の発明は、一対の係止爪を広幅に形成したことに特徴がある。
【０００８】
本発明の請求項４の発明は、ベースに形成した収容空間の深さを記銘紙の厚みと同程度の深さに形成すると共に、ベースに設けた枠部の左辺部及び右辺部の内面を夫々外方へ広がる傾斜面に形成したことに特徴がある。
【０００９】
本発明の請求項５の発明は、ベースの左縁部及び右縁部に枠部の左辺部及び右辺部に夫々間隔を空けて対峙する左側壁部及び右側壁部を設け、当該左右側壁部と枠部の左右辺部との間に上蓋の左右側板部を夫々嵌合させると共に、ベースの上下縁部外面に上蓋の上下側板部を夫々被せるようにしたことに特徴がある。
【発明の効果】
【００１０】
本発明の請求項１のカードホルダーは、垂直面に取り付けられるベースの前面に記銘紙の収容空間を形成する矩形状の枠部を設け、当該枠部の対向する上辺部及び下辺部の中央部内面に収容空間に収容した記銘紙の上縁部及び下縁部を夫々係止する一対の係止爪を突設する構成としているため、記銘紙を一対の係止爪によりベース側に保持することができ、上蓋を外しても記銘紙がベースから外れて落ちると云うことがない。
【００１１】
又、本発明の請求項２乃至請求項５のカードホルダーは、上記効果に加えて更に次のような優れた効果を奏することができる。
即ち、本発明の請求項２のカードホルダーは、ベースに形成した収容空間の底面中央部分と一対の係止爪との間隔を記銘紙の厚みよりも狭くすると共に、収容空間の底面の上辺部分及び下辺部分と一対の係止爪との間に記銘紙の上縁部及び下縁部を夫々挟み込めるように収容空間の底面の上辺部分及び下辺部分を深さが深くなる傾斜面に形成し、記銘紙の上下縁部を一対の係止爪と一対の傾斜面とで彎曲状態で挟み込むようにしているため、記銘紙の上下縁部が係止爪等に弾性的に当接し、記銘紙がベースに確実且つ良好に保持されることになり、記銘紙のベースからの落下をより確実に防止することができる。
又、本発明の請求項３のカードホルダーは、一対の係止爪を広幅に形成しているため、記銘紙をベースに確実且つ良好に保持することができ、記銘紙のベースからの落下をより確実に防止することができる。
更に、本発明の請求項４のカードホルダーは、ベースに形成した収容空間の深さを記銘紙の厚みと同程度の深さに形成すると共に、ベースに設けた記銘紙を収容する枠部の左右辺部の内面を外方へ広がる傾斜面に形成しているため、収容空間に収容した記銘紙を取り出す際に指で記銘紙を左右どちらかの方向へずらせば、記銘紙の左縁部又は右縁部が傾斜面に案内されながら収容空間から取り出されることになり、記銘紙の取り出しを簡単且つ容易に行える。
加えて、本発明の請求項５のカードホルダーは、ベースの左縁部及び右縁部に枠部の左辺部及び右辺部に夫々間隔を空けて対峙する左側壁部及び右側壁部を設け、当該左右側壁部と枠部の左右辺部との間に上蓋の左右側板部を夫々嵌合させると共に、ベースの上下縁部外面に上蓋の上下側板部を夫々被せるようにしているため、上蓋がベースに強固に被せられることになり、振動等による上蓋の脱落を防止することができる。
【発明を実施するための最良の形態】
【００１２】
以下、本発明の実施の形態を図面に基づいて詳細に説明する。
図１は本発明の実施の形態に係るカードホルダー１を示し、当該カードホルダー１は、分電盤や配電盤、制御盤等の盤類に組み込んだ分岐開閉器や分岐用配線遮断器、警報器等の分岐回路名や警報回路名、機器類等の名称を表記した記銘紙Ｐ（カード）を分電盤や配電盤、制御盤等に取り付けるためのものであり、分電盤等の盤面に垂直に取り付けたベース２に透明な上蓋３を被せてその間に記銘紙Ｐを挟み込んで保持するようにしたセパレート型のカードホルダー１である。
【００１３】
即ち、前記カードホルダー１は、分電盤や配電盤等の盤面の垂直面に取り付けられる平板状に形成した矩形のベース２と、ベース２に着脱自在に被せられ、ベース２の前面側を開閉自在に覆う透明材より成る浅い箱状の上蓋３とから成り、ベース２と上蓋３とで記銘紙Ｐを挟み込んで保持するようにしたものである。
【００１４】
具体的には、前記ベース２は、図１乃至図４に示す如く、ポリプロピレン等の白色の合成樹脂材により一体的に形成されており、横長の長方形状に形成された底板部４と、底板部４の外周縁部に垂直に連設され、底板部４の前面に記銘紙Ｐを収容する浅い収容空間Ｓを形成する背の低い枠部５と、枠部５の対向する上辺部５ａ及び下辺部５ｂの中央部内面に垂直に連設され、収容空間Ｓに収容した記銘紙Ｐの上縁部及び下縁部を夫々係止する広幅に形成された対向状の一対の係止爪６と、底板部４の左縁部及び右縁部に夫々垂直に連設され、枠部５の左辺部５ｃ及び右辺部５ｄに夫々間隔を空けて対峙する左側壁部７及び右側壁部８とから成る。
又、ベース２は、記銘紙Ｐを収容する収容空間Ｓが記銘紙Ｐの厚みよりもやや深い深さに形成されていると共に、収容空間Ｓを形成する枠部５の左辺部５ｃ及び右辺部５ｄの内面が収容空間Ｓの底面４ａに連なって外方（図３の左右方向）へ広がる傾斜面５ｅに形成されており、枠部５内の収容空間Ｓに収容した記銘紙Ｐを取り出す際に指で記銘紙Ｐを左右どちらかの方向へずらせば、記銘紙Ｐの左縁部又は右縁部が傾斜面５ｅに案内されながら収容空間Ｓから取り出されるようになっている。
更に、ベース２は、収容空間Ｓの底面４ａ中央部分と一対の係止爪６との間隔が記銘紙Ｐの厚みより狭くなるように形成されていると共に、収容空間Ｓの底面４ａの上辺部分及び下辺部分と一対の係止爪６との間に記銘紙Ｐの上縁部及び下縁部を夫々挟み込めるように収容空間Ｓの底面４ａの上辺部分及び下辺部分が底面４ａの中央部分の深さよりも深くなる彎曲状の傾斜面４ｂに形成されており、記銘紙Ｐの上縁部及び下縁部を一対の係止爪６と一対の傾斜面４ｂとで彎曲状態で挟み込めるようになっている。即ち、収容空間Ｓの底面４ａは、図４に示すように断面形状が略蒲鉾状に形成されている。
加えて、ベース２は、左側壁部７及び右側壁部８の中央部に指先が入る程度の切欠９が形成されており、ベース２に被せた上蓋３を外す際に指先を切欠９に入れて上蓋３を外し易いように工夫されている。
【００１５】
そして、前記ベース２は、その裏面側に剥離紙付きの両面粘着テープ１０を貼着しており、当該両面粘着テープ１０により分電盤や配電盤等の盤面の垂直面に貼り付けられるようになっている。
【００１６】
尚、この実施の形態に於いては、ベース２の長さ（図２の左右の長さ）は３０ｍｍに、ベース２の幅（図２の上下の幅）は１９．４ｍｍに、ベース２の高さ（図３の上下の高さ）は２．８ｍｍに、枠部５の左右の幅は２５ｍｍに、枠部５の左右辺部５ｃ，５ｄと左右側壁部７，８との間隔は１．５ｍｍに、収容空間Ｓの底面４ａ中央部分の深さは０．４ｍｍに、一対の係止爪６の幅は１０ｍｍに、収容空間Ｓの底面４ａ中央部分と一対の係止爪６との間隔は０ｍｍに、一対の係止爪６と収容空間Ｓの底面４ａの傾斜面４ｂとの間隔は約０．３９ｍｍに夫々設定されている。
又、この実施の形態に於いては、ベース２を両面粘着テープ１０により分電盤等の盤面に取り付けるようにしたが、他の実施の形態に於いては、ベース２をネジにより分電盤等の盤面に取り付けるようにしても良い。
【００１７】
一方、前記上蓋３は、図１、図５及び図６に示す如く、ＡＳ樹脂等の透明な合成樹脂材により一体的に形成されており、ベース２の収容空間Ｓに対向する横長の長方形状に形成された天板部１１と、天板部１１の左側縁部及び右側縁部に垂直に連設され、ベース２の枠部５の左右辺部５ｃ，５ｄと左右側壁部７，８との間に夫々嵌合される左側板部１２及び右側板部１３と、天板部１１の上縁部及び下縁部に垂直に連設され、ベース２の上縁部及び下縁部の外面に夫々被せられる上側板部１４及び下側板部１５とから成る。
又、上蓋３は、その左側板部１２及び右側板部１３が天板部１１の左側縁及び右側縁から内方へ片寄った位置に形成されており、上蓋３をベース２に被せたときに天板部１１の左右縁部でベース２の左右側壁部７，８を隠すようになっている。
【００１８】
尚、この実施の形態に於いては、上蓋３の長さ（図５の左右の長さ）は３０ｍｍに、上蓋３の幅（図５の上下の幅）は２１．４ｍｍに、上蓋３の高さ（図６の上下の高さ）は４．０ｍｍに、左側板部１２と右側板部１３との間隔は２５ｍｍに、左側板部１２及び右側板部１３の厚みは１．５ｍｍに、上側板部１４と下側板部１５の間隔は１９．４ｍｍに夫々設定されている。
【００１９】
次に、上述した構成のカードホルダー１を用いて分岐回路名や警報回路名、機器類等の名称を表記した記銘紙Ｐを分電盤や配電盤等の盤面１６の垂直面に取り付ける場合について説明する。
【００２０】
先ず、ベース２をその裏面側に貼り付けた両面粘着テープ１０により分電盤や配電盤等に組み込んだ分岐用開閉器や分岐用遮断器等の近傍位置の盤面１６に貼り付ける。
【００２１】
次に、ベース２の収容空間Ｓに分岐回路名等を表記した記銘紙Ｐ（厚さ０．２ｍｍの白色のケント紙）を収容すると共に、記銘紙Ｐの上縁部及び下縁部を指で押えてベース２の一対の係止爪６と収容空間Ｓの底面４ａの上辺部分及び下辺部分に形成した彎曲状の傾斜面４ｂとの間に挿入し、記銘紙Ｐの上縁部及び下縁部を一対の係止爪６と一対の傾斜面４ｂとの間で挟み込む（図７及び図８参照）。
【００２２】
そうすると、記銘紙Ｐは、係止爪６により係止されてベース２に保持された格好になり、記銘紙Ｐを指で支えていなくてもベース２から落ちると云うことがない。然も、ベース２は、ベース２に形成した収容空間Ｓの底面４ａ中央部分と一対の係止爪６との間隔を記銘紙Ｐの厚みよりも狭くすると共に、収容空間Ｓの底面４ａの上下辺部分と一対の係止爪６との間に記銘紙Ｐの上下縁部を夫々挟み込めるように収容空間Ｓの底面４ａの上下辺部分を底面４ａの中央部分より深さが深くなる彎曲状の傾斜面４ｂに形成し、記銘紙Ｐの上下縁部を一対の係止爪６と一対の傾斜面４ｂとで彎曲状態で挟み込むようにしているため、記銘紙Ｐの上下縁部が係止爪６等に弾性的に当接し、記銘紙Ｐがベース２に確実且つ良好に保持されることになり、記銘紙Ｐのベース２からの落下をより確実に防止することができる。又、一対の係止爪６を広幅に形成しているため、記銘紙Ｐをベース２に確実且つ良好に保持することができ、記銘紙Ｐのベース２からの落下をより確実に防止することができる。
【００２３】
尚、上記の実施の形態に於いては、ベース２を分電盤等の盤面１６に貼り付けた後、ベース２に記銘紙Ｐを保持させるようにしたが、他の実施の形態に於いては、ベース２に予め記銘紙Ｐを保持させてからベース２を分電盤等の盤面１６に貼り付けるようにしても良い。
【００２４】
そして、ベース２に記銘紙Ｐを保持させたら、ベース２に上蓋３を被せてベース２の前面側を覆い、記銘紙Ｐをベース２と上蓋３との間に挟み込んだ状態で保持する（図９乃至図１１参照）。これによって、記銘紙Ｐは、カードホルダー１を介して分電盤や配電盤等の盤面１６の垂直面に取り付けられることになる。
このとき、カードホルダー１は、枠部５の左右辺部５ｃ，５ｄと左右側壁部７，８との間に上蓋３の左右側板部１２，１３を嵌合させると共に、ベース２の上下縁部外面に上蓋３の上下側板部１４，１５を被せるようにしているため、上蓋３がベース１に強固に被せられることになり、振動等による上蓋３の脱落を防止することができる。
【００２５】
前記カードホルダー１は、分電盤等の盤面１６の垂直面に取り付けられるベース２の前面に記銘紙Ｐの収容空間Ｓを形成する矩形状の枠部５を設け、当該枠部５の対向する上辺部５ａ及び下辺部５ｂの中央部内面に収容空間Ｓに収容した記銘紙Ｐの上縁部及び下縁部を夫々係止する一対の係止爪６を突設する構成としているため、記銘紙Ｐを一対の係止爪６によりベース２側に保持することができる。その結果、記銘紙Ｐを交換する際に上蓋３を外しても記銘紙Ｐがベース２から外れて落ちると云うことがない。
又、このカードホルダー１は、記銘紙Ｐの収容空間Ｓを形成する枠部５の左右辺部５ｃ，５ｄの内面を外方へ広がる傾斜面５ｅに形成しているため、枠部５内の収容空間Ｓに収容した記銘紙Ｐを取り出す際に指で記銘紙Ｐを左右どちらかの方向へずらせば、記銘紙Ｐの左縁部又は右縁部が傾斜面５ｅに案内されながら収容空間Ｓから取り出されることになり、記銘紙Ｐの取り出しを簡単且つ容易に行える。
更に、このカードホルダー１は、ベース２を記銘紙Ｐの色（白色）と同じ色の白色の合成樹脂材により形成しているため、例え記銘紙Ｐが収容空間Ｓの大きさよりも小さくなっても、記銘紙Ｐを収容空間Ｓ内に収容したときに同系色で保護された格好になり、体裁が悪くなるのを防止することができる。
【図面の簡単な説明】
【００２６】
【図１】本発明の実施の形態に係るカードホルダーを示し、上蓋を開けた状態の拡大斜視図である。
【図２】カードホルダーのベースの拡大平面図である。
【図３】図２のＡ−Ａ線断面図である。
【図４】図２のＢ−Ｂ線断面図である。
【図５】カードホルダーの上蓋の拡大平面図である。
【図６】図５のＣ−Ｃ線断面図である。
【図７】分電盤等の壁面に貼り付けたベースに記銘紙を保持させた状態の拡大正面図である。
【図８】図７のＤ−Ｄ線断面図である。
【図９】記銘紙を保持したベースに上蓋を被せた状態の拡大正面図である。
【図１０】図９のＥ−Ｅ線断面図である。
【図１１】図９のＦ−Ｆ線断面図である。
【図１２】従来のカードホルダーの分解斜視図である。
【符号の説明】
【００２７】
１はカードホルダー、２はベース、３は上蓋、４ａは収容空間の底面、４ｂは収容空間の底面に形成した傾斜面、５は枠部、５ａは枠部の上辺部、５ｂは枠部の下辺部、５ｃは枠部の左辺部、５ｄは枠部の右辺部、５ｅは左右辺部に形成した傾斜面、６は係止爪、７は左側壁部、８は右側壁部、１２は上蓋の左側板部、１３は上蓋の右側板部、１４は上蓋の上側板部、１５は上蓋の下側板部、Ｐは記銘紙（カード）、Ｓは収容空間。
【図１】
2008131674.tif 000003
【図２】
2008131674.tif 000004
【図３】
2008131674.tif 000005
【図４】
2008131674.tif 000006
【図５】
2008131674.tif 000007
【図６】
2008131674.tif 000008
【図７】
2008131674.tif 000009
【図８】
2008131674.tif 000010
【図９】
2008131674.tif 000011
【図１０】
2008131674.tif 000012
【図１１】
2008131674.tif 000013
【図１２】
2008131674.tif 000014